(57)【要約】      （修正有）【課題】複数の断熱部材を一度にパネル部に貼り付けることができ、生産性の向上を図ることのできる断熱パネル用の断熱材を提供する。【解決手段】断熱材１０は、パネルにはめ込むための少なくとも２以上の断熱部材２０と、２以上の断熱部材を固定するための固定手段と、その固定手段を用いて２以上の断熱部材をそれぞれ所定の間隔をあけて固定した背面部３０と、を具備する。【選択図】図１
0003207440.tif 000002
【実用新案登録請求の範囲】
【請求項１】
パネルにはめ込むための少なくとも２以上の断熱部材と、
前記２以上の断熱部材を固定するための固定手段と、
前記固定手段を用いて前記２以上の断熱部材をそれぞれ所定の間隔をあけて固定した背面部と、を具備する断熱材。
【請求項２】
前記背面部は、クラフト紙とする請求項１記載の断熱材。
【請求項３】
前記背面部は、合成樹脂シートとする請求項１記載の断熱材。
【請求項４】
前記断熱部材は、ガラス繊維とする請求項１から３いずれか１項記載の断熱材。
【請求項５】
前記断熱部材は、ロックウールとする請求項１から３いずれか１項記載の断熱材。
【請求項６】
前記断熱部材は、ウレタン素材とする請求項１から３いずれか１項記載の断熱材。
【請求項７】
前記断熱部材は、紙片とプラスチックを混合したものとする請求項１から３いずれか１項記載の断熱材。
【請求項８】
前記請求項１から７いずれか１項の断熱材と、前記断熱材における複数の断熱部材を配置するための断熱部材配置部を有するパネルと、を有し、前記断熱材における前記複数の断熱部材を、前記断熱部材配置部にそれぞれ配置した断熱パネル。
【考案の詳細な説明】
【技術分野】
【０００１】
本考案は、住宅の壁、床、天井に施工するための断熱パネルに使用する断熱材に関するものである。
【背景技術】
【０００２】
住宅において、冷房あるいは暖房の効率化を図り、電気代などの光熱費を削減するため断熱パネルを使用する。
【０００３】
このように住宅を建築する際にその施工を容易にするためにあらかじめ断熱部材を有する上記断熱パネルが使用されている。この断熱パネルは建築現場において、壁、床あるいは天井における所定の位置に複数固定することで、その壁や天井等を覆うように配置することができる。
【０００４】
この断熱パネルは、所定の形状のパネルにあらかじめ断熱部材を配置したものである。即ち、あらかじめ工場において、格子状に仕切ったパネルに断熱部材を予めはめ込んだ断熱パネルを製造し、それを建築現場の運び、壁等において断熱用の建材として施工する。
【０００５】
これに関する先行技術として、たとえば、特開平１０-１４０６９７号公報において、断熱材１０が充噴された構造用中空鋼材２０により格子状に形成された枠体２５と、この枠体２５の表裏面に配設されたメッシュ筋３０と、前記枠体２５と前記メッシュ筋３０との間に形成される中空室４０に充填された断熱材１０と、これらを一体的に被覆するコンクリート材５０とを備えたことを特徴とするプレキャストコンクリートパネル１００が開示されている。
【０００６】
このような断熱パネルは、作業員が工場であらかじめガラス繊維などの断熱部材を、その格子状に形成されたパネルに、はめ込むことにより製造されている。しかしながら、その作業は、作業者がそのパネルにおける格子状の内部に、その複数の断熱部材を１つ１つ手作業ではめ込まなくてはならず、非常に手間のかかる作業であり、生産性の向上を図ることができない。
【先行技術文献】
【特許文献】
【０００７】
【特許文献１】特開平１０-１４０６９７号公報
【考案の概要】
【考案が解決しようとする課題】
【０００８】
本考案は前記の点に鑑みなされたもので、その課題は、断熱パネルを製造する際の生産性の向上を図ることのできる断熱材を提供することを目的とする。
【課題を解決するための手段】
【０００９】
鋭意研究開発の結果前記の課題を解決するため、第１観点の断熱材は、パネルにはめ込むための少なくとも２以上の断熱部材と、その２以上の断熱部材を固定するための固定手段と、固定手段を用いて前記２以上の断熱部材をそれぞれ所定の間隔をあけて固定した背面部と、を具備するものである。
【００１０】
また、第２観点の断熱材は、前記第１観点において、前記背面部は、クラフト紙とするものである。
【００１１】
また、第３観点の断熱材は、前記第１観点において、前記背面部は、合成樹脂シートとするものである。
【００１２】
また、第４観点の断熱材は、前記第１観点から、第３観点において、前記断熱部材は、ガラス繊維とするものである。
【００１３】
また、第５観点の断熱材は、前記第１観点から、第３観点において、前記断熱部材は、ロックウールとするものである。
【００１４】
また、第６観点の断熱材は、前記第１観点から、第３観点において、前記断熱部材は、ウレタン素材とするものである。
【００１５】
また、第７観点の断熱材は、前記第１観点から、第３観点において、前記断熱部材は、紙片とプラスチックを混合したものである。
【００１６】
また、第８観点の断熱パネルは、前記第１観点から、第７観点における断熱材と、前記断熱材における複数の断熱部材を配置するための断熱部材配置部を有するパネルと、を有し、前記断熱材における前記複数の断熱部材を、前記断熱部材配置部にそれぞれ配置したものである。
【００１７】
また、第９観点の断熱パネル製造方法は、第１観点から第７観点の断熱材を、パネルにかぶせるように重ね、前記断熱材における前記複数の断熱部材を、前記複数の断熱部材配置部にそれぞれ配置する断熱部材配置工程とを有するものである。
【考案の効果】
【００１８】
本考案は上記のように構成されかつ作用するものであるから、上記断熱材は、複数の断熱部材を背面部に取り付けた構成であるために、作業者は、その複数の断熱部材を一度にパネル部に貼り付けることができるので、断熱パネルを容易に製造することができ、生産性を向上することができる。
【図面の簡単な説明】
【００１９】
【図１】本実施例における断熱材の斜視図。
【図２】図１におけるＩＩ−ＩＩ線断面図。
【図３】他の実施例における断熱材の斜視図。
【図４】図３におけるＩＶ−ＩＶ線断面図。
【図５】パネルの斜視図。
【図６】Ａは、本実施例の製造方法の工程概念図であり、Ｂは、本実施例の完成概念図。
【考案を実施するための形態】
【００２０】
本実施例の断熱材１０について説明する。断熱材１０は、複数の断熱部材２０と、背面部３０と、からなり、断熱部材２０は、文字通り断熱することができる材質を使用する。これらは後述する格子状のパネル１００において、隙間を生じないような容易に変形することができるウール素材のようなマット状の材料が好ましい。たとえば、ガラス繊維、ロックウール、ウレタンを使用することが好ましい。ウレタン素材はウレタン、または、発泡ウレタンを使用することもできる。また、セラミックス繊維についても使用することができる。さらに、紙片とプラスチックを混合した断熱部材も好ましい。これらの比率は、紙片５１%とプラスチック４９%を混合したものが好ましい。
【００２１】
この複数の断熱部材２０は、後述する格子状のパネル１００にはめ込むために、所定の間隔をあけて背面部３０上に配置する。ここで所定の間隔とは、図５に示すとおり、格子状のパネル１００の縦枠１０１及び横枠１０２の幅Ｙに対応して複数の断熱部材２０を配置するために、その幅Ｙと、ほぼ同様の間隔Ｘをいう（図１、２等参照）。なお、縦枠１０１及び横枠１０２の幅がそれぞれ異なる場合は、そのそれぞれに対応する間隔とすればよい。
【００２２】
背面部３０は、シート状を呈しており、折り曲げることができる。従って、背面部３０は、所定の形状に切断したものでもよく、クラフト紙または、合成樹脂シートであるプラスチックフィルム、ポリエチレン、ポリスチレン、ポロプロピレン、塩化ビニール、紙とプラスチックを混合したシート、または透湿防水シートも好ましい。これらの厚さは、１００〜２００マイクロメートルのフィルム状のものから、それ以上の厚さのシート状のものまで使用することができる。また、植物由来のたとえば、ポリ乳酸を主原料とした合成樹脂シートも使用することができる。
【００２３】
このような、複数の断熱部材２０を、背面部３０における上記所定の間隔に、固定手段２５を用いて固定する。固定手段２５は、接着剤を用いて固定する。ここで使用する接着剤は、断熱部材２０または背面部３０の材質によって公知の接着剤を使用することができる。これにはアスファルトを使用することができる。また、ホットメルトを使用しても好ましい。さらに、この接着剤は、再剥離可能な接着剤でも好ましい。もっとも固定手段２５は、接着剤に限られず、たとえば、断熱部材２０の材質によっては融着して固定しても好ましい。さらに固定手段２５を、複数用いてもよい。
【００２４】
また、他の実施例として断熱材１０Ａは、背面部３０Ａとして、所定のサイズに切断せずに、ベルト状に、すなわち長手方向Ｚに連続した構成とすることも好ましい。これに上記の断熱部材２０を複数配置して固定し、断熱材１０Ａを構成することができる。この場合であっても上記所定の間隔Ｘで配置し、使用する際に、パネル１００に重ね合わせるように配置する。従って、図示しないが断熱材１０Ａはロール状に巻回することができる。
【００２５】
次に、パネル１００について説明する。パネル１００は縦枠１０１と横枠１０２と外周枠１０３とを有し、それらに囲まれた複数の断熱部材配置部１０４とを有する。このような構成のパネル部１００は一例であり、図示しないが、住宅における設置する場所、たとえば、壁、天井などによって任意の寸法に構成することができる。従って、図１のように、断熱部材配置部１０４は、４つとは限らずその数もパネルの大きさによって適正な数量を配置することができる。
【００２６】
なお、上述したとおり、格子状のパネル１００にはめ込むために、複数の断熱部材２０は所定の間隔Ｘをあけて背面部３０上に配置しているが、図５に示すとおり、格子状のパネル１００における縦枠１０１及び横枠１０２の幅Ｙと、図１、２、３、４における断熱部材２０同士の間隔Ｘがほぼ同様であることを、所定の間隔という。なお、格子状のパネル１００における縦枠１０１及び横枠１０２の幅がそれぞれ異なる場合はそれぞれに対応する断熱部材２０同士の間隔であることはいうまでもない。
【００２７】
従って、格子状のパネル１００の縦枠１０１及び横枠１０２の幅Ｙに対応するように、その隣り合う断熱部材２０同士の間隔Ｘは、規定され、背面部３０及び３０Ａ上に配置されている。
【００２８】
パネル１００は、たとえば、ＡＬＣパネル、石膏ボード、スレート板などの無機ボードを使用することができる。合板などの有機ボードも使用することができる。なお、防火性能を満たす、石膏ボードが好ましい。また、木材、アルミニウム、鉄を使用することができる。
【００２９】
次に断熱パネル２００について説明する。断熱パネル２００は、断熱材１０と、パネル１００とからなるものである。具体的には、格子状のパネル１００における縦枠１０１と横枠１０２と外周枠１０３とを有し、それらに囲まれた複数の断熱部材配置部１０４に、この断熱材１０における背面部３０に、上記所定の間隔Ｘに配置固定された複数の断熱部材２０を、配置する。このために、まずは、背面部３０が上に、断熱部材２０が下になるように反転し（図６Ａ参照）、パネル１００に、断熱材１０をかぶせるように重ね合わせる（図６Ｂ参照）。このようにすることによって、パネル１００における複数の断熱部材配置部１０４に、複数の断熱部材２０を一度に配置することができ、断熱パネル２００を製造することができる。
【００３０】
また、他の実施例として断熱材１０Ａは、上述のとおり、所定のサイズに切断せずに、ベルト状に、すなわち、長手方向Ｚに連続した構成である背面部３０Ａを有するものであるが（図３、４参照）、それを適当な長さに切断した後、上記工程によって断熱パネル２００を製造することができる。
【００３１】
このように、断熱パネル２００を製造することによって、従来は、作業者が、そのパネル１００における複数の断熱部材配置部１０４に、手作業で、複数の断熱部材２０を配置していたものが、一度で複数の断熱部材２０を配置することができるので、生産性の向上を図ることができる。また、それに伴い製造コストの低減を図ることができる。また、複数の断熱部材２０は背面部３０に取り付けられているために、たとえば上記のとおり、断熱材２０にガラス繊維を使用した場合に、そのガラス繊維の飛散を、背面部３０によって防止することができる。従って、作業環境を良好に保つことができる。また、従来は、そのガラス繊維は、作業者が直接触れると皮膚に刺さり、作業終了後に皮膚に付着したガラス繊維を洗い流すなどの処置が必要であったが、背面部３０を使用することにより、断熱パネル２００の製造にあたって、そのような処置は不要となる。
【符号の説明】
【００３２】
１０  断熱材
２０  断熱部材
３０  背面部
１００  パネル
１０１  縦枠
１０２  横枠
１０３  外周枠
１０４  断熱部材配置部
２００  断熱パネル
【図１】
0003207440.tif 000003
【図２】
0003207440.tif 000004
【図３】
0003207440.tif 000005
【図４】
0003207440.tif 000006
【図５】
0003207440.tif 000007
【図６】
0003207440.tif 000008